(57)【要約】ユーザのパーソナルネットワーク（２）内の複数のサーバデバイス（４ａ、４ｂ、１０）を動作する方法は、複数のサーバデバイスにおいて利用可能な情報にアクセスする工程を含む。情報は、その情報が単一のデバイスに存在するように見えるように出力される。遠隔制御デバイス（８）は、特定のイベント、命令等に基づいて、パーソナルバブル内の様々なデバイスを、他のデバイス（６ａ、６ｂ）と通信するように自動的に設定してもよい。【選択図】  図１
2012501142.tif 000002
【特許請求の範囲】
【請求項１】
ユーザのパーソナルバブル（２）内の複数のサーバデバイス（４、１０）を動作する方法であって、
前記複数のサーバデバイスにとって利用可能なコンテンツを示すデータを取得するために、遠隔制御デバイス（８）使用して前記複数のサーバデバイス（４、１０）と通信する工程と、
前記遠隔制御デバイスが前記データを出力する工程と、
を備えることを特徴とする方法。
【請求項２】
前記データを出力する工程は、前記データが単一のデバイスに存在するかのように見えるように前記データを配列する工程を含むことを特徴とする請求項１に記載の方法。
【請求項３】
前記パーソナルバブルは、少なくとも１つのコンテンツインタフェースデバイス（６）をさらに含み、前記方法は、
前記出力データの少なくとも一部を選択する工程と、
前記選択に基づいて、前記遠隔制御デバイスが、前記少なくとも１つのコンテンツインタフェースデバイスを、前記選択されたデータに対応する前記サーバデバイスへ自動的に接続する工程と、
をさらに備えることを特徴とする請求項１または２に記載の方法。
【請求項４】
前記サーバデバイスから前記コンテンツインタフェースデバイスへコンテンツをストリーミングする工程をさらに備え、前記コンテンツは前記選択されたデータに対応することを特徴とする請求項３に記載の方法。
【請求項５】
前記ストリーミングされるコンテンツは、前記複数のサーバデバイスに格納されたメディアコンテンツ、または、前記複数のサーバデバイスのうちの１つに特有の通信データ、のうちの少なくとも１つであることを特徴とする請求項４に記載の方法。
【請求項６】
前記コンテンツインタフェースデバイスに接続されていない前記複数のサーバデバイスのうちの１つにおいて着信を受信する工程と、
前記コンテンツインタフェースデバイスを前記１つのサーバデバイスに自動的に接続する工程と、
をさらに備えることを特徴とする請求項４または５に記載の方法。
【請求項７】
前記パーソナルバブルは少なくとも１つのコンテンツインタフェースデバイスをさらに含み、前記方法は、
前記出力データの少なくとも一部を選択する工程と、
前記選択に基づいて、前記遠隔制御デバイスが、少なくとも１つのコンテンツインタフェースデバイスに自動的に接続する工程と、前記選択されたデータに対応する少なくとも１つのサーバデバイスに自動的に接続する工程と、前記少なくとも１つのコンテンツインタフェースデバイスと、前記少なくとも１つのサーバデバイスとの間で情報を中継する工程と、
をさらに備えることを特徴とする請求項１乃至６の何れか１項に記載の方法。
【請求項８】
前記データを出力する工程は、前記複数のサーバデバイスのそれぞれに格納されたメディアコンテンツのリストを出力する工程、または、前記複数のサーバデバイスのそれぞれに着信のリストを出力する工程、のうちの少なくとも１つを含むことを特徴とする請求項１乃至７の何れか１項に記載の方法。
【請求項９】
前記少なくとも１つのコンテンツインタフェースデバイスに出力する前記着信を選択する工程と、
前記少なくとも１つのコンテンツインタフェースデバイスを前記着信が受信されている前記サーバデバイスに自動的に接続する工程と、
をさらに備えることを特徴とする請求項８に記載の方法。
【請求項１０】
前記データを出力する工程は、前記複数のサーバデバイスのそれぞれからの前記データを前記遠隔制御デバイスのメモリ（６４）に格納する工程と、単一のリストを形成するために前記格納されたデータを結合する工程と、を含むことを特徴とする請求項１乃至９の何れか１項に記載の方法。
【請求項１１】
前記サーバデバイスは、携帯電話、コンピュータ、メディアプレーヤ、ゲームデバイス、ポケベル、電子手帳、または携帯情報端末のうちの少なくとも１つであり、前記少なくとも１つのコンテンツインタフェースデバイスは、無線ヘッドホンまたは無線ディスプレイデバイスのうちの少なくとも１つであることを特徴とする請求項１乃至１０の何れか１項に記載の方法。
【請求項１２】
ユーザのパーソナルバブル内の電子デバイスを動作するシステムであって、
前記パーソナルバブル（２）内の複数の無線サーバデバイス（４、１０）と、
前記パーソナルバブル内の少なくとも１つの無線遠隔制御デバイス（８）と、を備え、前記遠隔制御デバイスは前記複数のサーバデバイスと通信可能に連結され、前記遠隔制御デバイスは、前記複数のサーバデバイスにおいて利用可能なデータにアクセスし、前記データを出力するように構成されることを特徴とするシステム。
【請求項１３】
前記遠隔制御デバイスは、前記データが単一のデバイスに存在するように見えるように前記データを出力するように構成されることを特徴とする請求項１２に記載のシステム。
【請求項１４】
前記パーソナルバブル内の少なくとも１つの無線コンテンツインタフェースデバイス（６）をさらに備え、前記遠隔制御デバイスは、前記コンテンツインタフェースデバイスに通信して連結されることを特徴とする請求項１２または１３に記載のシステム。
【請求項１５】
前記遠隔制御デバイスはピコネットにおけるマスタであり、前記複数のサーバデバイスおよび前記少なくとも１つのコンテンツインタフェースデバイスは前記ピコネットにおけるスレーブであることを特徴とする請求項１４に記載のシステム。
【請求項１６】
前記遠隔制御デバイスは、前記複数のサーバデバイスのうちの１つを、前記コンテンツインタフェースデバイスのマスタとして設定するように構成されることを特徴とする請求項１５に記載のシステム。
【請求項１７】
前記遠隔制御デバイスは、前記コンテンツインタフェースデバイスを前記マスタであるサーバデバイスと通信するように設定するように構成されることを特徴とする請求項１５または１６に記載のシステム。
【請求項１８】
前記遠隔制御デバイスは、前記複数のサーバデバイスおよび前記コンテンツインタフェースデバイスのうちの１つを、前記遠隔制御ピコネットにおけるスニッフィングスレーブであるように設定するように構成されることを特徴とする請求項１７に記載のシステム。
【請求項１９】
前記サーバデバイスは、携帯電話、コンピュータ、メディアプレーヤ、ゲームデバイス、ポケベル、電子手帳、または携帯情報端末のうちの少なくとも１つであり、前記コンテンツインタフェースデバイスは、無線ヘッドホンまたは無線ディスプレイデバイスのうちの少なくとも１つであることを特徴とする請求項１２乃至１８の何れか１項に記載のシステム。
【請求項２０】
複数のサーバデバイス（４、１０）および少なくとも１つのコンテンツインタフェースデバイスを動作する遠隔制御デバイス（８）であって、それぞれのデバイスはユーザのパーソナルバブル内にあり、前記遠隔制御デバイスは、
プロセッサ（６２）と、
前記プロセッサと動作可能に連結されたメモリ（６４）と、
前記メモリに格納され、前記プロセッサによって実行可能なロジックと、を備え、前記ロジックは、
前記複数のサーバデバイス（４、１０）において利用可能なデータにアクセスするように構成されたロジックと、
前記データが単一のデバイスに存在するように見えるように前記データを出力するように構成されたロジックと、
を含むことを特徴とする遠隔制御デバイス。
【発明の詳細な説明】
【技術分野】
【０００１】
本発明は、一般に、音声通信を行う電子デバイス等の電子デバイスに関する。より特には、本発明は、ユーザのパーソナルバブル内でデバイスを制御するシステム、デバイスおよび方法に関する。
【背景技術】
【０００２】
電子デバイスのモバイルアイテムおよび／または無線アイテムが、ますます人気になり、広範囲で使用されている。さらに、あるタイプの電子デバイスと関連した特徴がますます多様化している。数個の例を挙げれば、多くの電子デバイスは、カメラ、テキストメッセージ機能、インターネット閲覧機能、電子メール機能、画像表示機能、およびナビゲーション機能を含む。
【０００３】
携帯電話等の電子デバイスは、多くの人々の日常経験の重要な一部分となっている。これらの経験をより魅力的なものとするためには、電子デバイスは使用および持ち運びが容易であることが望ましい。使い勝手の良さは、一般に、電子デバイスのソフトウェアへの機能強化によって対処され得る一方、ある環境または状況においては、問題はソフトウェアのみによって対処され得ない。
【０００４】
例えば、移動車両で電子デバイスを使用することは不便であるかもしれない。さらには、
デバイスの小さなフォームファクタのせいで、電子デバイス上で再生されるムービーを制御しおよび／または見ることは困難であるかもしれない。これらの問題に対処するために、電子デバイスの使用をより容易におよびより楽しめるものにするアクセサリが発達している。そのようなアクセサリは一般に、無線通信リンクを介して電子デバイスと通信して連結される。
【０００５】
ユーザの“パーソナルバブル（ｂｕｂｂｌｅ）”とも称されるかもしれない、ユーザのＷＰＡＮ（無線パーソナルエリアネットワーク）は、例えば、携帯電話等の電子デバイス、および無線ヘッドホン等の無線アクセサリを含んでもよい。
【発明の概要】
【０００６】
ユーザのパーソナルバブル内で使用されてもよい上記の電子デバイスおよびアクセサリに加えて、遠隔制御デバイスもパーソナルバブルに持ち込まれてもよい。ユーザは、遠隔制御デバイスを介して、（例えば、連絡先、アポイントメント、オーディオおよびビデオトラック等の）携帯電話に格納されたファイルを閲覧し得、命令を開始し得（例えば、発呼、着呼、テキストメッセージ送信等）、電子デバイス、または他の可能性のあるオプションのうちの何れか１つ、を設定し得る（例えば、コール嗜好設定）。
【０００７】
電子デバイスがより手頃な価格になるにつれて、多くのユーザは複数の電子デバイス（例えば、パーソナル電話およびビジネス電話）を持ち運ぶかもしれない。しかしながら、同一のユーザは一般に単一のヘッドホン、または単一の遠隔ディスプレイのみ持ち運ぶだろう。単一のヘッドホンと共に複数の電子デバイスを持ち運ぶ時に、複数の電子デバイスをヘッドホンおよび／または遠隔制御デバイスに統合すると問題が生じる。
【０００８】
本発明に従って、遠隔制御デバイスがユーザのパーソナルバブルのマスターコントローラであり得るアーキテクチャが提供される。ユーザの嗜好に基づいて、ユーザは、遠隔制御デバイスを介して彼のパーソナルバブルにおける様々なサーバデバイス（例えば、複数の携帯電話、コンピュータ等）を閲覧し得、閲覧されるデータは単一のデバイス上にあるように見える。さらに、リストから選択された項目に基づいて、遠隔制御デバイスは、コンテンツインタフェースデバイスと通信するコンテンツを含む特定のサーバデバイス（例えば、ヘッドホン、遠隔ディスプレイ等）を設定し得る。
【０００９】
着信に対しては、遠隔制御デバイスは、電子デバイス（例えば、鳴り響く電話）とアクセサリ（例えば、ヘッドホン）との間の直接接続を手助けする。発信に対しては、適切な電子デバイスが、遠隔制御デバイス（例えば、ビジネス電話またはパーソナル電話）上でなされる選択に基づいて選択され得、選択された電子デバイスは自動的にアクセサリに接続され得る。
【００１０】
例えばオーディオコンテンツまたはビデオコンテンツ等のメディアコンテンツを再生するために、遠隔制御デバイスは、様々な電子デバイスからのオーディオデータ／ビデオデータのリストを蓄積してもよく、コンテンツが単一のデバイス上に存在するように見えるようにリストを提供してもよい。次に、ユーザの選択に基づいて、遠隔制御デバイスは、アクセサリ（ヘッドホンまたは遠隔ディスプレイ）からオーディオデータ／ビデオデータを含む適切な電子デバイス（ビジネス電話またはパーソナル電話）への接続を手助けする。
【００１１】
本発明の１つの側面によれば、ユーザのパーソナルバブル内の複数のサーバデバイスを動作する方法は、遠隔制御デバイスを使用して複数のサーバデバイスと通信し、前記複数のサーバデバイスにとって利用可能なコンテンツを示すデータを取得する工程と、前記遠隔制御デバイスが前記データを出力する工程と、を含む。
【００１２】
本発明の１つの側面によれば、前記データを出力する工程は、前記データが単一のデバイス上に存在するかのように見えるように配列する工程を含む。
【００１３】
本発明の１つの側面によれば、前記パーソナルバブルは、少なくとも１つのコンテンツインタフェースデバイスを含み、前記方法は、前記出力データの少なくとも一部を選択する工程と、前記選択に基づいて、前記遠隔制御デバイスが、前記少なくとも１つのコンテンツインタフェースデバイスを前記選択されたデータに対応する前記サーバデバイスに自動的に接続する工程と、をさらに含む。
【００１４】
本発明の１つの側面によれば、前記方法は、前記サーバデバイスから前記コンテンツインタフェースデバイスへコンテンツをストリーミングする工程をさらに含み、前記コンテンツは前記選択されたデータに対応している。
【００１５】
本発明の１つの側面によれば、前記ストリーミングされたコンテンツは、前記複数のサーバデバイスに格納された少なくとも１つのメディアコンテンツ、または前記複数のサーバデバイスに特有の通信データ、である。
【００１６】
本発明の１つの側面によれば、前記方法は、前記コンテンツインタフェースデバイスと接続されていない前記複数のサーバデバイスのうちの１つで着信を受信する工程と、前記コンテンツサーバデバイスを前記１つのサーバデバイスに自動的に接続する工程とをさらに含む。
【００１７】
本発明の１つの側面によれば、前記通信がアクティブである間に前記コンテンツインタフェースデバイスへストリーミングされたあらゆるコンテンツを自動的に中止する工程と、前記通信が終了する時に前記ストリーミングされたメディアコンテンツを自動的に再開する工程とをさらに含む。
【００１８】
本発明の１つの側面によれば、前記データを出力する工程は、前記データをディスプレイデバイスへ表示する工程を含む。
【００１９】
本発明の１つの側面によれば、前記データを表示する工程は、遠隔制御デバイスの出力デバイスへ前記データを表示する工程と、前記少なくとも１つのコンテンツインタフェースデバイスの出力デバイスへ前記データを表示する工程と、のうち少なくとも１つを含む。
【００２０】
本発明の１つの側面によれば、前記データを出力する工程は、前記複数のサーバデバイスのそれぞれに格納されたメディアコンテンツのリストを出力する工程と、前記複数のサーバデバイスのそれぞれにおける着信のリストを出力する工程と、のうち少なくとも１つを含む。
【００２１】
本発明の１つの側面によれば、前記方法は、前記少なくとも１つのコンテンツインタフェースデバイスでの出力のために前記着信を選択する工程と、前記少なくとも１つのコンテンツインタフェースデバイスを、前記着信が受信されている前記サーバデバイスに自動的に接続する工程と、をさらに含む。
【００２２】
本発明の１つの側面によれば、前記データを出力する工程は、前記複数のサーバデバイスのそれぞれからの前記データを、前記遠隔制御デバイスのメモリに格納する工程と、単一のリストを形成するために前記格納されたデータを結合する工程と、を含む。
【００２３】
本発明の１つの側面によれば、前記サーバデバイスは、携帯電話、コンピュータ、メディアプレーヤ、ゲームデバイス、ポケベル、電子手帳、または携帯情報端末のうちの少なくとも１つであり、前記少なくとも１つのコンテンツインタフェースデバイスは、無線ヘッドホンまたは無線ディスプレイデバイスのうち少なくとも１つである。
【００２４】
本発明の１つの側面によれば、前記パーソナルバブルは、少なくとも１つのコンテンツインタフェースデバイスをさらに含み、前記方法は、前記出力データのうち少なくとも一部を選択する工程と、前記選択に基づいて、前記遠隔制御デバイスが、少なくとも１つのコンテンツインタフェースデバイスに自動的に接続する工程と、前記選択されたデータに対応する少なくとも１つのサーバデバイスに自動的に接続する工程と、前記少なくとも１つのコンテンツインタフェースデバイスと前記少なくとも１つのサーバデバイスとの間で情報を中継する工程と、をさらに含む。
【００２５】
本発明の１つの側面によれば、ユーザのパーソナルバブル内にある複数の電子デバイスを動作するシステムであって、前記パーソナルバブル内の複数の無線サーバデバイスと、前記パーソナルバブル内の少なくとも１つの無線遠隔制御デバイスと、を含み、前記遠隔制御デバイスは、前記複数のサーバデバイスと通信して連結され、前記遠隔制御デバイスは、前記複数のサーバデバイスで利用可能なデータへアクセスし、前記データを出力するように構成される。
【００２６】
本発明の１つの側面によれば、前記遠隔制御デバイスは、前記データが単一のデバイスに存在するように見えるように前記データを出力するように構成される。
【００２７】
本発明の１つの側面によれば、前記システムは、前記パーソナルバブル内に少なくとも１つのコンテンツインタフェースデバイスをさらに含み、前記遠隔制御デバイスは、前記コンテンツインタフェースデバイスと通信して連結される。
【００２８】
本発明の１つの側面によれば、前記遠隔制御デバイスは、ピコネットにおけるマスタであり、前記複数のサーバデバイスおよび前記少なくとも１つのコンテンツインタフェースデバイスは、前記ピコネットにおけるスレーブである。
【００２９】
本発明の１つの側面によれば、前記遠隔制御デバイスは、前記複数のサーバデバイスのうちの１つを前記コンテンツインタフェースデバイスのマスタとして設定するように構成される。
【００３０】
本発明の１つの側面によれば、前記遠隔制御デバイスは、前記コンテンツインタフェースデバイスが前記マスタのサーバデバイスと通信するように設定するように構成される。
【００３１】
本発明の１つの側面によれば、遠隔制御デバイスは、前記複数のサーバデバイスおよび前記コンテンツインタフェースデバイスのうちの１つを、前記遠隔制御ピコネットにおけるスニフィングスレーブであるように設定するように構成される。
【００３２】
本発明の１つの側面によれば、前記複数のサーバデバイスは、携帯電話、コンピュータ、メディアプレーヤ、ゲームデバイス、ポケベル、電子手帳、または携帯情報端末のうちの少なくとも１つであり、前記コンテンツインタフェースデバイスは、無線ヘッドホンまたは無線ディスプレイデバイスのうちの少なくとも１つである。
【００３３】
本発明の１つの側面によれば、複数のサーバデバイスおよび少なくとも１つのコンテンツインタフェースデバイスを動作する遠隔制御デバイスであって、各デバイスはユーザのパーソナルバブル内にあり、前記遠隔制御デバイスは、プロセッサと、前記プロセッサと動作可能に連結されたメモリと、前記メモリに格納され且つ前記プロセッサによって実行可能なロジックと、を含み、前記ロジックは、前記複数のサーバデバイスで利用可能なデータにアクセスするように構成されたロジック、および前記データが単一のデバイスに存在するように見えるように前記データを出力するように構成されたロジックを含む。
【００３４】
本発明の１つの側面によれば、前記遠隔制御デバイスは、ユーザ入力に基づいて前記出力データのうち少なくとも一部を選択するように構成されたロジックと、前記少なくとも１つのコンテンツインタフェースデバイスを、前記選択されたデータに対応する前記サーバデバイスに自動的に接続するように構成されたロジックと、を含む。
【００３５】
前述のおよび関連する目的を達成するために、本発明は、明細書において以下で十分に記載され、特許請求の範囲、以下の記載および本発明の詳細なある例示的な実施形態において示される添付の図面で特に指摘される特徴を備えるが、しかしながら、これらは本発明の原則が適切に採用されてもよい様々な方法のうちのいくつかを示している。
【００３６】
本発明の他のシステム、方法、特徴および利点は、以下の図面および詳細な記述の調査により当業者にとって明らかであろうし、または明らかになるだろう。全てのそのような追加的なシステム、方法、特徴、および利点は、この記述の範囲に含まれ、本発明の範囲内であり、添付の特許請求の範囲によって保護されることが意図される。
【００３７】
本発明は１つ以上の実施形態を参照して示されおよび記述されるが、均等物および変形物が、明細書を読んで理解することにより他の当業者が想到するであろうことが理解されるだろう。本発明は全てのそのような均等物および変形物を含み、特許請求の範囲によってのみ限定される。
【００３８】
また、様々な特徴が各図面／実施形態で記述され且つ説明されるが、所為の図面または実施形態の特徴は、本発明の１つ以上の他の図面または実施形態で使用されてもよいことが理解されるだろう。
【００３９】
この明細書で使用される場合、“備える／備えている”という用語は、述べられた特徴、整数、工程、または構成要素の存在を明確にするために用いられるが、その存在または追加の１つ以上の他の特徴、整数、工程、構成要素またはその組み合わせを除外しないことが強調されるべきである。
【００４０】
本発明の多くの側面は、添付の図面を参照してより理解され得る。図面における構成要素は、必ずしも原寸に比例する必要はなく、代わりに、本発明の原則を明確に説明することに強調が置かれる。同様に、１つの図面で描写される要素および特徴は、さらなる図面で描写される要素および特徴と組み合わされてもよい。さらにその上、図面において、同様の参照番号はいくつかのビューを通じて対応する部分を指定する。
【図面の簡単な説明】
【００４１】
【図１】図１は、特定のユーザに対する例示的なパーソナルバブルの概略図である。
【図２】図２は、例示的な携帯電話の関連部分の概略ブロック図である。
【図３】図３は、図２の携帯電話が動作してもよい通信システムの概略図である。
【図４】図４は、本発明の実施形態に従った例示的な遠隔制御デバイスの関連部分の概略ブロック図である。
【図５】図５は、例示的なアクセサリの関連部分の概略ブロック図である。
【図６】図６は、本発明に従ったユーザのパーソナルバブルにおいて複数のデバイスを制御する例示的な方法の各工程を説明するフローチャートである。
【発明を実施するための形態】
【００４２】
本発明の実施形態は、図面を参照して説明されるだろう。同様の参照番号は初めから終わりまで同様の要素に言及するために使用される。図面は必ずしも原寸に比例する必要がないことが理解されるだろう。
【００４３】
本文書では、実施形態は、図解される携帯電話およびヘッドホン等の携帯無線通信デバイスとの関連で主に説明される。しかしながら、携帯電話およびヘッドホンの例示的な状況は、開示されるシステムおよび方法の側面が使用されてもよい動作環境のみではないことが理解されるだろう。それ故、この文書で説明される技術は、あらゆるタイプの適した電子デバイスおよび／またはアクセサリに適用されてもよく、その例は、携帯電話、メディアプレーヤ、ゲームデバイス、コンピュータ、ポケベル、コミュニケータ、電子手帳、携帯情報端末（ＰＤＡ）、スマートフォン、携帯通信装置、遠隔ディスプレイデバイス等を含む。
【００４４】
携帯電話等の電子デバイスは、世界中の広範囲で使用されている。個人が複数の電話を身につけることは通常である。しかしながら、同じユーザは一般に単一のヘッドホンおよび／または遠隔ディスプレイのみを有するだろう。ヘッドホンおよび遠隔ディスプレイは一般に単一の携帯電話のみと通信して連結されるので、連結された携帯電話が着呼または発呼している電話ではない時、および／または、連結された電話がユーザが再生することを望むメディアコンテンツを含まない時、に問題が生じる。
【００４５】
それぞれの電話およびアクセサリを容易に制御するために、時計およびペンを含む様々な形式で実施され得る遠隔ユーザインタフェース（ＵＩ）が、ユーザのパーソナルバブルに含まれ得る。ここで使用されるように、パーソナルバブルは、ユーザがバブル内のデバイスのうち何れか１つに無線で連結してもよいユーザの周囲少なくとも１０メートルのゾーンに言及している。図１を参照すると、例示的なパーソナルバブル２が示されており、複数の携帯電話４（例えば、パーソナル電話４ａおよびビジネス電話４ｂ）、およびオーディオアクセサリ／ビデオアクセサリ６（例えば、ヘッドホン６ａおよびディスプレイ６ｂ）がバブル２において動作する。バブル２の右側のデバイス（すなわち、アクセサリ）は、コンテンツインタフェースデバイスとして考えられてもよく、一方、バブル２の左側デバイス（すなわち、電話４、コンピュータ１０）は、無線ネットワーク（例えば、コンピュータネットワーク、電話ネットワーク等）に対するサーバデバイスおよび／またはアクセスポイントとして考えられてもよい。ここで使用されるように、コンテンツインタフェースデバイスは、別のデバイスからコンテンツを受信し、そのコンテンツをユーザに出力する手段を提供するあらゆる電子デバイスである。出力は、例えばオーディオ信号またはビデオ信号の形式であってもよい。サーバデバイスは、ここで使用されるように、ネットワークおよび／またはメディアコンテンツへのアクセスを許可するあらゆる電子デバイスである。
【００４６】
メディアコンテンツは、ｍｐ３、ｗｍｖ、ｍｐｅｇ、ｄｉｖｘ、ｊｐｇ、ｔｉｆｆ等を含む、そのようなコンテンツを格納する様々な既知の標準の何れかを含むオーディオデータまたはビデオデータであってもよい。さらには、メディアコンテンツは、１つ以上のサーバデバイスに格納されてもよく、１つ以上のサーバデバイスによってアクセス可能であってもよい。
【００４７】
また、図１には遠隔制御デバイス８（例えば、ペンユーザインタフェースすなわちペンＵＩ）も示される。遠隔制御デバイス８は、ペンおよびタブレットのフォームファクタを有するように説明されるけれども、ペンおよびタブレットのフォームファクタの状況は単に例示的なものであり、遠隔制御デバイスは、他のフォームファクタを呈してもよく、その例は時計、パッド、口紅、（タブレット無しの）ペン等を含むことが理解されるだろう。遠隔制御デバイス８は、（不図示の）複数のボタンおよびディスプレイ（例えば、ＬＣＤディスプレイ）を含んでもよい。あるいは、遠隔制御デバイス８は、ボタンを有するまたは有しないタッチセンサディスプレイを含んでもよい。
【００４８】
遠隔制御デバイス８は、遠隔制御デバイス８、サーバデバイス（例えば、携帯電話４およびコンピュータ１０）、およびコンテンツインタフェースデバイス（例えば、アクセサリ６）の間で情報交換を可能にするように構成された無線通信手段も含む。一実施形態において、無線通信手段は、ブルートゥース（登録商標）標準等の短距離通信標準を使用して通信するように動作する無線トランシーバである。別の実施形態において、無線通信手段は、赤外線スペクトルで光信号を送受信するように動作する光学トランシーバである。理解されるように、上述した通信手段に代わって他の無線通信手段が利用されてもよい。
【００４９】
以下でより詳細に説明されるように、遠隔制御デバイス８は、パーソナルバブル２の左側および右側におけるデバイス間の相互作用を手助けする。さらに具体的に言うと、遠隔制御デバイス８は、バブル２の左側における複数のデバイス（例えば、電話４ａおよび４ｂ、およびコンピュータ１０）と、バブル２の右側における単一のヘッドホン６ａおよび／または単一の遠隔ディスプレイ６ｂと、の動作を調整し得る。さらにその上、ヘッドホン６ａ（および場合により遠隔ディスプレイ６ｂ）および遠隔制御デバイス８のみが、ユーザの手の届く範囲内に（例えば、ユーザの身体上に）ある必要がある。電話４およびコンピュータ１０はどこにでも存在し得、それらは少なくともユーザのパーソナルバブル２の範囲内に提供される。
【００５０】
携帯電話４およびアクセサリ６と連動した遠隔制御デバイス８の動作は、２つの可能性のある動作シナリオを参照して説明されるだろう。第１の動作シナリオにおいて、ユーザは、電話が着信しているか否かに関わらず、全ての着呼が直接ヘッドホンへ向けられることを好む。第２の動作シナリオにおいて、ユーザは、バブル２の左側における１つ以上のデバイスからヘッドホン６ａおよび／またはディスプレイ６ｂへメディアコンテンツをストリーミングすることを望む。２つのシナリオのみが提供されているが、パーソナルバブル２の範囲内における特定のデバイス次第で、異なる動作シナリオがいくらでも実行され得ることが理解されるべきである。
【００５１】
第１の動作シナリオを開始し、着呼（従来の無線コール、ＶｏＩＰコール等）が電話４（またはコンピュータ１０）のうちの１つで受信されると、遠隔制御デバイス８は、着呼を検出し得、ユーザにその呼び出しを受け入れるか否かを促す。プロンプトは、可聴音、ビデオ表示、またはオーディオおよびビデオの組み合わせによってもよい。オーディオは遠隔制御デバイス８それ自体から放出されてもよく、および／または遠隔制御デバイス８は、ヘッドホン６ａにユーザに着呼を警告する信号を発するように命令してもよい。また、オーディオは呼び出しを受信している電話にとって特有であり得る（例えば、ビジネス電話に対する音“１”、およびパーソナル電話に対する音“２”）。信号がビデオ信号であるなら、その場合遠隔制御デバイス８のディスプレイまたは遠隔ディスプレイ６ｂに警告が表示されてもよい。警告は、例えば、名称および／または発呼者等の識別子（例えば、呼び出し電話番号）を含み得る。複数の電話が呼び出しを受信しているなら、その場合プロンプトは、それぞれの呼び出しのリストを含んでもよい。ユーザは、遠隔制御デバイス８を介して、（例えば、ボタンを作動させることによってまたは所望のアクションに対応する遠隔のディスプレイの一部をタッチすることによって）次に呼び出しを受け入れるまたは呼び出しを拒絶することを決定してもよい。
【００５２】
複数の着呼があるなら、その場合ユーザは、遠隔制御デバイス８を介して、着呼のリストを提供され、ユーザはどの呼び出しに応じるかを選択してもよい。従って、例え複数のデバイスが呼び出しを受信していても、ユーザは、その受信された呼び出しをどのように扱うかを決定するために単一のインタフェースを提供される。
【００５３】
ユーザが呼び出しを受け入れるなら、その場合遠隔制御デバイス８は、呼び出しを受信している特定の電話４ａ、４ｂ（またはコンピュータ１０）を自動的に作動させ（例えば、電話に呼び出しに応じるように命令する、または、複数の呼び出しなら、ユーザによって選択された電話に呼び出しに応じるように命令する）、および、発呼者との双方向無線通信を可能にするために電話をヘッドホン６ａに自動的に連結する。ユーザが呼び出しを拒絶するなら、その場合、電話とヘッドホンとの間で連結は生じない。さらに、遠隔制御デバイス８は、電話４に鳴音するのをやめるように指示し、および／または呼び出しを例えば留守番電話に送るように指示する。
【００５４】
発呼に対しては、ユーザは、呼び出しを開始する前に、電話４のうちの１つにおけるアドレス帳をチェックすることを望んでもよい。アドレス帳をチェックするために、ユーザは、遠隔制御デバイス８を介して、その呼び出しがビジネスコール、パーソナルコール、ＶｏＩＰコール、テキストメッセージ等であるだろうかどうかを選択し得る。これは、遠隔制御デバイスのディスプレイにおよび／または遠隔ディスプレイ６ｂに表示されるメニューを介することによって、達成され得る。選択した後、遠隔制御デバイス８は、特定の呼び出しに対応する電話４のアドレス帳における連絡先を閲覧するために使用され得る。例えば、ユーザがビジネスコールを選択したなら、その場合遠隔制御デバイスはビジネス電話に格納されたアドレス帳にアクセスし、および／または、それを読み出し、次に（例えば、遠隔制御デバイスのディスプレイに、および／または、遠隔ディスプレイ６ｂに）そのアドレス帳を表示する。ユーザがパーソナルコールを識別したなら、その場合パーソナル電話のアドレス帳がアクセスされ／読み出され、および表示される。
【００５５】
あるいは、それぞれの電話４のアドレス帳は、１つのアドレス帳として見えるように遠隔制御デバイス８のメモリにマージされ得る。例えば、遠隔制御デバイス８は、両方の電話４からアドレス帳を読み出し得、および、それらを遠隔制御デバイス８のメモリ内の単一のアドレス帳に結合し得る。マージされたアドレス帳は次に、遠隔制御デバイスのディスプレイおよび／または遠隔ディスプレイ６ｂに表示され得、ユーザはリストからアドレスを選択してもよい。どのくらいの数のマージされたアドレス帳をユーザが選択するかに依存して、遠隔制御デバイス８は、適切な電話４（例えば、取引相手に対してはビジネス電話）を自動的に選択し、選択された電話に呼び出しをかけ、且つヘッドホンと選択された電話との間で無線通信を可能にするためにヘッドホン６ａを選択された電話と連結し得る。
【００５６】
従って、パーソナルバブル内のそれぞれのサーバデバイスにとって利用可能な情報は、理解容易な方法でユーザに提供され得る。さらに、アドレス帳（または他の情報）が１つのサーバデバイスからまたは複数のサーバデバイスから提供されるかどうかに関わらず、情報は、単一のデバイスからのものであるように見えるように提供される。
【００５７】
説明された実施形態において、着呼を受け入れた後または発呼のための番号を選択した後に、遠隔制御デバイス８は、適切な電話４と遠隔デバイス６の間の直接接続を手助けした。代替実施形態において、遠隔制御デバイス８は、電話４とアクセサリ６との間の中継ノードとして機能してもよい。すなわち、電話４とアクセサリ６との間の全ての通信は、遠隔制御デバイス８を介して流れる。
【００５８】
第２の動作シナリオに移ると、ユーザは、音楽をヘッドホン６ａ（例えば、ステレオヘッドホン）にストリーミングすることまたはビデオをディスプレイ６ｂにストリーミングすること、またはその組み合わせを望んでもよい。コンテンツをストリーミングする前に、ユーザは、どのコンテンツを電話４の１つまたは両方からストリーミングすることを望むかを選択するまたはそうでなければ特定する必要がある。この選択を行う時にユーザを補助するために、遠隔制御デバイス８は、それぞれの電話４にアクセスし、そこに格納された利用可能なコンテンツを表示し得る。それぞれの電話の（またはコンピュータ１０等のパーソナルバブル２における別のデバイスの）表示されたコンテンツは、そのコンテンツにアクセスするデバイスに基づいてフィルタ処理されてもよく、またはそれぞれの電話のコンテンツは、単一のリストを形成するために遠隔制御デバイス８のメモリにマージされてもよい。コンテンツリストから、ユーザは、遠隔制御デバイス８を介して、アクセサリ６にストリーミングされるべき特定のコンテンツを選択し、ストリーミングが開始するように命令してもよい。遠隔制御デバイス８は、次に、電話またはメディアコンテンツを含む他のデバイスを起動し、電話／デバイスをヘッドホン６ａおよび／またはディスプレイ６ｂに連結し、ストリーミング処理を開始し得る。あるいは、遠隔制御デバイス８は、電話４またはコンピュータ１０から受信したコンテンツをアクセサリ６へストリーミングする中継ノードとして機能してもよい。
【００５９】
コンテンツがストリーミングされている間は携帯電話４のうちの１つによって呼び出しが受信されるなら、ユーザは、上述した遠隔制御デバイス８、ヘッドホン６ａおよび／またはディスプレイ６ｂを介して通知され得る。例えば、遠隔制御デバイス８に、または遠隔ディスプレイ６ｂにメッセージが表示されてもよく、そのメッセージはユーザに着呼を警告する。さらにまたはあるいは、可聴信号が遠隔ディスプレイ６ｂおよび／またはヘッドホン６ａを介して通信されてもよい。ユーザは次に、（例えば、所望のアクションに対応するボタンを介して）ストリーミング処理を中断して呼び出しを受け入れることを選択してもよく、または呼び出しを無視することを選択してもよい。
【００６０】
ユーザが呼び出しを無視するなら、その場合電話の鳴音器（ｒｉｎｇｅｒ）は消音してもよく、ストリーミング処理は継続してもよい。ユーザが呼び出しを受け入れるなら、その場合遠隔制御デバイス８は、（例えば、ストリーミングを中止するために信号をストリーミングデバイスへ送信することによって）ストリーミング処理を中断し得る。呼び出しが現在ストリーミングされるコンテンツを提供している携帯電話４で受信されるなら、その場合電話４とヘッドホン６ａとの間の接続は維持されてもよい。呼び出しがコンテンツを提供しない電話４で受信されるなら、その場合遠隔制御デバイス８は、コンテンツを提供する電話から呼び出しを受信している電話へアクセサリを自動的に切り替え得る。さらに、遠隔制御デバイス８は、ひとたび呼び出しが終了するとコンテンツを自動的に再開し得る（例えば、アクセサリを適切な電話へ切り替えて戻し、ストリーミングを再開する）。
【００６１】
遠隔制御デバイス８がパーソナルバブル２内のデバイスを制御することを可能にするために、単純なスキャタネット（ｓｃａｔｔｅｒｎｅｔ）シナリオが採用されてもよく、遠隔制御デバイス８はパーソナルバブル２のマスタである。さらに具体的に言うと、遠隔制御デバイス８は、残りのデバイスの全てが低電力スニフモードを介して連結されるピコネットにおけるマスタであり得る。電話４および／またはコンピュータ１０でのコンテンツの閲覧等の、重いアクティビティに対しては、遠隔制御デバイス８は、速いデータ交換を可能にするためによりアクティブなモードにデバイスを置いてもよい。電話４および／またはコンピュータ１０に加えて、アクセサリ６（例えば、ヘッドホン６ａおよび／または遠隔ディスプレイ６ｂ）もまた、遠隔制御デバイス８へ／からデータを送信／受信するために、遠隔制御デバイス８と通信して連結される。
【００６２】
パーソナルバブル２におけるそれぞれのデバイスの動作を調整する時、遠隔制御デバイス８は、それぞれのデバイスがお互い通信するように設定してもよい。例えば、遠隔制御デバイス８は、ヘッドホン６ａが電話４のうちの１つにスレーブとして接続されるように設定してもよい。遠隔制御デバイス８は、適切なタイミング情報およびアドレス情報をヘッドホン６ａおよび／または電話４に提供してもよく、その結果アドホック接続が直ちに確立され得る。このシナリオでは、電話４はヘッドホン６ａおよび／またはディスプレイ６ｂに対するマスタとして機能するが、ユーザが遠隔制御デバイス８を介して電話４をまだ制御してもよいように遠隔制御ピコネットにおいてスニッフィングスレーブのままである（電話４は、スニフ機能の低負荷サイクルのために、スニフ機能が電話から極めてほとんど電力を取らないスキャタネットにあり得る）ことが望まれる。ヘッドホン６ａもまた、遠隔制御デバイス８がヘッドホン６ａ（またはディスプレイ６ｂ）を制御もし得るように遠隔制御デバイス８に対してスニフモードで維持されてもよい。
【００６３】
発呼に対しては、遠隔制御デバイス８は、まず、（例えば、高速アドホックリンクを介して）それぞれの電話４ａおよび４ｂから遠隔制御デバイス８のメモリにアドレス帳をロードし得る。それぞれの電話のアドレス帳は、その場合単一のアドレス帳としてユーザに提供され得、または電話に基づいて分離され得る。重複アドレスがある場合、ユーザはビジネスアドレスまたはパーソナルアドレス間を選択してもよい。ユーザがアドレスを選択するとすぐに、遠隔制御デバイス８は、対応する電話４を起動し、ヘッドホン６ａ（および／またはモニタ６ｂ）と、選択されたアドレスに対応する電話４（またはコンピュータ１０）との間で直接接続が確立され得る。ある状況では、あるアドレスが他のアドレスに渡って好まれるかもしれない。例えば、連絡先がＶｏＩＰアドレスを有するなら、コスト理由でそれが好まれる（例えば、自動的に選択される）かもしれない。
【００６４】
ストリーミングシナリオに対しては、遠隔制御デバイス８は、電話４および／またはコンピュータ１０に格納された全てのコンテンツに対する識別子を収集し得、次に（上述した組み合わせアドレスと類似した）１つのリストとしてそのコンテンツをユーザに提供し得るユーザが利用可能なコンテンツから特定のオーディオトラックまたはビデオトラックを選択する時に、対応する電話４（またはコンピュータ１０）が起動され、ヘッドホン６ａおよび／またはディスプレイ６ｂはスレーブとしてそのストリーミングデバイスに自動的に接続され得る。着呼が別のデバイス（例えば、異なる電話）で受信されるなら、遠隔制御デバイス８はまず、ストリーミングを中止することなくユーザに呼び出しを通知するために、オーディオ信号および／またはビデオ信号をヘッドホン６ａおよび・または遠隔ディスプレイ６ｂに送信してもよい。ユーザが呼び出しを受け入れるなら、遠隔制御デバイス８は、ストリーミングデバイスを中止し、ヘッドホン６ａと呼び出しを受信しているデバイスとの間の直接接続を手助けし得る。
【００６５】
図２−５に移ると、例示的な携帯電話（図２）、遠隔制御デバイス８（図４）、およびアクセサリ６（図５）に対するブロック図が示される。図２から開始すると、例示的な携帯電話４は、ディスプレイ１４を含んでもよい。ディスプレイ１４は、ユーザが携帯電話４の様々な特徴を利用することを可能にする、動作状態、時間、電話番号、連絡先情報、様々なナビゲーションメニュー等の情報をユーザに表示する。ディスプレイ１４は、携帯電話４によって受信されたおよび／または携帯電話４のメモリ１６から読み出されたコンテンツを視覚的に表示するために使用されてもよい。
【００６６】
キーパッド１８は、様々なユーザ入力動作を提供する。例えば、キーパッド１８は一般に、電話番号、電話リスト、連絡先情報、メモ等の英数字情報の入力を許可する英数字キーを含む。さらに、キーパッド１８は一般に、呼び出しを開始するまたは呼び出しに応じる“コールセンド”キー、および呼び出しを終了するまたは呼び出しを“切る” “コールエンド”キー等の特殊ファンクションキーを含む。キーまたはキー類似の機能は、ディスプレイ１４と関連したタッチスクリーンとして具体化されてもよい。また、ディスプレイ１４およびキーパッド１８は、ソフトキー機能を実施するために相互に連動して使用されてもよい。
【００６７】
携帯電話４は、携帯電話４の機能および動作の全ての制御を実行するように構成されている主制御回路２０を含む。制御回路２０は、ＣＰＵ、マイクロコントローラまたはマイクロプロセッサ等の、処理デバイス２２を含んでもよい。処理デバイス２２は、携帯電話４の動作を実行するために、制御回路２０内の（不図示の）メモリにおよび／またはメモリ１６等の分離メモリに格納されたコードを実行する。
【００６８】
メモリ１６は、不揮発性メモリを使用して実施されるリードオンリーメモリ領域、揮発性メモリを使用して実施されるおよびランダムアクセスメモリ領域またはシステムメモリ領域を含んでもよい。従来のように、不揮発性メモリと揮発性メモリとの間でデータが交換されてもよい。不揮発性メモリおよび揮発性メモリは、メモリ１６が使用される携帯電話４または他の電子デバイスに対して適切なサイズであってもよい。
【００６９】
図２への言及を継続すると、携帯電話４は、無線回路２６と連結されたアンテナ２４を含む。無線回路２６は、従来のようにアンテナ２４を介して信号を送受信する無線周波数送受信機を含む。無線回路２６は、携帯通信システムで動作するように構成されてもよく、データおよび／または視聴覚コンテンツを送受信するために使用されてもよい。モバイル無線ネットワークおよび／または放送ネットワークと情報をやり取りする受信機のタイプは、ＧＳＭ、ＣＤＭＡ、ＷＣＤＭＡ、ＧＰＲＳ、ＷｉＦｉ、ＷｉＭａｘ、ＤＶＢ−Ｈ、ＩＳＤＢ−Ｔ等の他にこれらの標準の次世代版を含むがこれらに限定されない。
【００７０】
携帯電話４は、無線回路２６によって送信され無線回路２６から受信されたオーディオ信号を処理する音声信号処理回路２８をさらに含む。音声信号処理回路２８と連結されるのは、従来のようにユーザが携帯電話４を介して聴くことを可能にするスピーカ３０、および話すことを可能にするマイクロホン３２である。無線回路２６および音声信号処理回路２８は、全ての動作を実行するために制御回路２０にそれぞれ連結されている。
【００７１】
ディスプレイ１４は、ディスプレイ１４を駆動するために使用されるビデオ信号にビデオデータを変換するビデオ処理回路３４によって制御回路２０と連結されてもよい。ビデオ処理回路３４は、あらゆる適切なバッファ、デコーダ、ビデオデータプロセッサ等を含んでもよい。ビデオデータは制御回路２０によって生成されてもよく、メモリ１６に格納されているビデオファイルから受信されてもよく、無線回路２６によって受信されたまたはあらゆる他の適切な方法によって取得された、入力ビデオデータストリームから取得されてもよい。
【００７２】
携帯電話４は、１つ以上のＩ／Ｏインタフェース３６をさらに含んでもよい。Ｉ／Ｏインタフェース３６は、典型的な携帯電話のＩ／Ｏインタフェースの形式であってもよく、１つ以上の電子コネクタを含んでもよい。典型的には、Ｉ／Ｏインタフェース３６は、携帯電話４内の電源ユニット（ＰＳＵ）３８のバッテリを充電するための充電器に携帯電話４を連結するために使用されてもよい。
【００７３】
携帯電話４は、アクセサリ６、遠隔制御デバイス８、別のモバイル無線端末、コンピュータまたは別のデバイスとの通信を確立する、赤外線送受信機および／または無線周波数（ＲＦ）インタフェース（例えば、Ｂｌｕｅｔｏｏｔｈインタフェース、ＺｉｇＢｅｅインタフェース、ＷｉＦｉインタフェース等の他にこれらの標準の次世代版）等の、（アンテナ４０ａと連結された）ローカル無線インタフェース４０も含んでもよい。
【００７４】
さらに図３を参照すると、携帯電話４は、通信システム４２の一部として動作するように構成されてもよい。システム４２は、携帯電話４によってなされる呼び出しおよび携帯電話４宛ての呼び出しを管理し、データを携帯電話４へ送信し、およびあらゆる他のサポート機能を実行するサーバ４６（または複数のサーバ）を有する通信ネットワーク４４を含んでもよい。サーバ４６は、伝送媒体を介して携帯電話４と通信する。伝送媒体は、例えば、通信タワー（例えば、携帯電話基地局）、別の携帯電話、無線アクセスポイント、衛星等を含む、あらゆる適切なデバイスまたはアセンブリであってもよい。一部のネットワークは無線送信路を含んでもよい。ネットワーク４４は、複数の携帯電話４および他のタイプのエンドユーザデバイスの通信アクティビティをサポートしてもよい。
【００７５】
理解されるように、サーバ４６は、サーバ機能を実行するために使用される一般的なコンピュータシステムとして構成されてもよく、サーバ４６の機能を具体化する論理命令を含むソフトウェアを実行するように構成されたプロセッサと、そのようなソフトウェアを格納するメモリと、を含んでもよい。
【００７６】
図４に移ると、例示的な遠隔制御デバイス８のブロック図が示される。遠隔制御デバイス８は、遠隔制御デバイス８の機能および動作の全ての制御を実行するように構成された主制御回路６０を含む。制御回路６０は、遠隔制御デバイス８の動作を実行するために、制御回路６０内のメモリ（不図示）に格納された、および／またはメモリ６４等の分離メモリに格納されたコードを実行する、ＣＰＵ、マイクロコントローラまたはマイクロプロセッサ等の処理デバイス６２を含んでもよい。
【００７７】
メモリ６４は、不揮発性メモリを使用して実施されるリードオンリーメモリ領域、および揮発性メモリを使用して実施されるランダムアクセスメモリ領域またはシステムメモリ領域を含んでもよい。不揮発性メモリおよび揮発性メモリは、遠隔制御デバイス８に対して適切なサイズであってもよい。
【００７８】
遠隔制御デバイス８は、情報（例えば、動作状態、時間、電話番号、連絡先情報、様々なナビゲーションメニュー等）をユーザに表示するディスプレイ６６を含んでもよい。ディスプレイ６６は、遠隔制御デバイス８によって受信されたおよび／または制御デバイス８のメモリ６４から取得されたコンテンツを視覚的に表示するために使用されてもよい。ディスプレイ６６は、ディスプレイ６６を駆動するために使用されるビデオ信号にビデオデータを変換するビデオ処理回路６８を介して制御回路６０に連結されてもよい。
【００７９】
キーパッド７０は、選択、呼び出し受け入れ、呼び出し拒絶、呼び出し開始等の様々なユーザ入力動作を提供する。キーおよびキー類似の機能は、ディスプレイ６６と関連したタッチスクリーンとして具体化されてもよい。また、ディスプレイ６６およびキーパッド７０は、ソフトキー機能を実施するために相互に連動して使用されてもよい。
【００８０】
遠隔制御デバイス８は、アクセサリ６、モバイル無線端末、コンピュータまたは別のデバイスとの通信を確立する、赤外線送受信機および／または無線周波数（ＲＦ）インタフェース（例えば、Ｂｌｕｅｔｏｏｔｈインタフェース）等の（アンテナ７２ａと連結された）ローカル無線インタフェース７２を含んでもよい。
【００８１】
遠隔制御デバイス８は、１つ以上のＩ／Ｏインタフェース７４（例えば、１つ以上の電子コネクタ）をさらに含んでもよい。Ｉ／Ｏインタフェース７４は、遠隔制御デバイス８内の電源ユニット（ＰＳＵ）７６のバッテリを充電するための充電器に遠隔制御デバイス８を連結するために使用されてもよい。
【００８２】
さらに、処理デバイス６２は、遠隔制御デバイス８の遠隔ユーザインタフェース機能を実施するコードを実行してもよい。ここでの記述に基づいた遠隔ユーザインタフェース機能と関連した論理機能を遠隔制御デバイス８が動作し、実行するようにプログラムする方法は、コンピュータプログラミング、特に電子デバイスに対するアプリケーションプログラミングの当業者にとって明らかであろう。従って、特定のプログラミングコードに関する詳細は、簡潔化のために省略される。また、遠隔ユーザインタフェース機能は、本発明の好ましい実施形態に従った処理デバイス６２によって実行される一方、そのような機能は、本発明の範囲を逸脱することなく、専用ハードウェア、ファームウェア、ソフトウェア、またはその組み合わせによって実行されてもよい。これらの実施の何れかは、遠隔ユーザインタフェース機能回路または単に論理回路として見なされてもよい。
【００８３】
図５に移ると、本発明に従って使用されてもよい例示的なアクセサリ６（例えば、無線ヘッドホンアクセサリ６ａとして具体化される）に対するブロック図が示される。電話および遠隔のような、アクセサリ６は、主制御回路８０も含んでもよい。制御回路８０は、アクセサリ６の機能および動作の全ての制御を実行するように構成されてもよく、ＣＰＵ、マイクロコントローラまたはマイクロプロセッサ等の処理デバイス８２を含んでもよい。処理デバイス８２は、遠隔アクセサリの動作を実行するために、制御回路８０内のメモリ（不図示）に、および／または、メモリ８４等の、分離メモリに、格納されたコードを実行する。
【００８４】
メモリ８４は、不揮発性メモリを使用して実施されるリードオンリーメモリ領域、および揮発性メモリを使用して実施されるランダムアクセスメモリ領域またはシステムメモリ領域を含んでもよい。不揮発性メモリおよび揮発性メモリはアクセサリ６に対して適切なサイズであってもよい。
【００８５】
アクセサリ６は、遠隔制御デバイス８、電話４、コンピュータ１０または他のデバイスとの通信を確立する、赤外線送受信機および／または無線周波数（ＲＦ）インタフェース（例えば、Ｂｌｕｅｔｏｏｔｈインタフェース）等のローカル無線インタフェース８６を含む。
【００８６】
アクセサリ６は、ローカル無線インタフェース８６によって送信され、ローカル無線インタフェース８６から受信されたオーディオ信号を処理する音声信号処理回路８８をさらに含んでもよい。音声信号処理回路８８と連結されるのは、従来のようにユーザが音声データを入力し、受信することを可能にするスピーカ９０およびマイクロホン９２である。ローカル無線インタフェース８６および音声信号処理回路８８は、全ての機能を実行するために制御回路８０とそれぞれ連結される。
【００８７】
アクセサリ６は、１つ以上のＩ／Ｏインタフェース９４（例えば、１つ以上の電子コネクタ）をさらに含んでもよい。Ｉ／Ｏインタフェース９４は、アクセサリ６内の電源ユニット（ＰＳＵ）９６のバッテリを充電する充電器にアクセサリ６を連結するために使用されてもよい。また不図示ではあるが、アクセサリは、例えばＬＣＤディスプレイ等の遠隔ビデオディスプレイデバイスを含んでもよい。
【００８８】
アクセサリ６は、遠隔制御デバイス８のように、情報（例えば、動作状態、電話番号、連絡先情報、様々なナビゲーションメニュー等）をユーザに表示するディスプレイ９７を含んでもよい。ディスプレイ９７は、アクセサリ６によって受信された、および／または、アクセサリ６のメモリ８４から取得された、コンテンツを視覚的に表示するために使用されてもよい。ディスプレイ９７は、ディスプレイ９７を駆動するために使用されるビデオ信号にビデオデータを変換するビデオ処理回路９８を介して制御回路８０と連結されてもよい。
【００８９】
キーパッド９９は、選択、呼び出し受け入れ、呼び出し拒絶、呼び出し開始等の、様々なユーザ入力動作を提供する。キーおよびキー類似の機能は、ディスプレイ９７と関連するタッチスクリーンとして具体化されてもよい。また、ディスプレイ９７およびキーパッド９９は、ソフトキー機能を実施するために相互に連動して使用されてもよい。図６を参照すると、ユーザのパーソナルバブル２内のデバイスを制御するために、遠隔制御デバイス８を動作する例示的な方法を実施するための論理動作が説明される。例示的な方法は、例えば遠隔制御デバイス８内の論理（ｌｏｇｉｃ）を実行することによって実行されてもよい。従って、図６のフローチャートは、遠隔制御デバイス８によって実行される方法の各工程を描写するものとして考えられてもよい。図６は特定の順序の機能的論理ブロックを示すが、ブロックを実行する順序は、示される順序と関連して変更されてもよい。また、連続して示される２つ以上のブロックは、同時にまたは部分的に同時に実行されてもよい。あるブロックは省略されてもよい。さらに、あらゆる数の機能、論理動作、命令、状態変数、セマフォ（ｓｅｍａｐｈｏｒｅ）、またはメッセージが、機能強化されたユーティリティ、アカウンティング、パフォーマンス、測定、トラブル・シューティングおよび同様のもののために、論理フローに追加されてもよい。
【００９０】
論理フローはブロック１００で開始してもよく、ここでは着信（例えば、電話呼び出し、ビデオ呼び出し、テキストメッセージ、電子メール等）が、ユーザのパーソナルバブル２内の１つ以上のデバイス（例えば、パーソナル電話４ａ、ビジネス電話４ｂ等）に向けられているかどうかを遠隔制御デバイス８が判定する。そのような検出は、従来と同じように、遠隔制御デバイス８をそれぞれの電話４に通信して連結する短距離無線インタフェース（例えば、Ｂｌｕｅｔｏｏｔｈ）を手段としてもよい。次に、着信の発生は、短距離無線インタフェースを介して遠隔制御デバイス８に伝達されてもよい。
【００９１】
着信が検出されたなら、その場合ブロック１０２において、遠隔制御デバイス８は、ユーザに着信を知らせるメッセージを構築し、例えば、遠隔制御デバイス８のディスプレイに、および／または、遠隔ディスプレイ６ｂに、そのメッセージを出力する。メッセージは、例えば番号識別子（例えば、電話番号）、名称識別子、電子メール識別子、または誰が通信を開始しているかをユーザが判定することを可能にするあらゆる他の情報等の、通信を開始している相手の識別子を含み得る。さらに、メッセージは、例えメッセージ情報が複数のデバイスからのものであっても、単一のデバイスからのものであるように見えるようにフォーマットされてもよい。例えば、複数のメッセージが、パーソナル電話４ａおよびビジネス電話４ｂによって実質的に同時に（またはユーザがスクリーン上で着信を見直す機会を有する前に）受信されるなら、その場合遠隔制御デバイス８は、それらのメッセージを単一のリストとして出力し得る。次に、ユーザはリストを即座にスキャンし得、もしあれば、どのメッセージをユーザが受信することを望むかを決定し得る。
【００９２】
ブロック１０４において、ユーザが入力メッセージを受け入れないなら（例えば、ユーザが何もしない、または、アクセサリまたは遠隔を介して無視命令を開始する）、その場合通信は作用されず、方法はブロック１００へ戻る。しかしながら、ユーザが着信を受け入れることを決定したなら、遠隔制御デバイスのディスプレイで要求を示すことによって（例えば、ディスプレイ上で通信を選択し、次に受け入れ命令を開始することによって）着信を受け入れてもよい。通信を受け入れるとすぐに、ブロック１０６において、遠隔制御デバイス８は、アクセサリ６にストリーミングされているあらゆるコンテンツを中止する（例えば、ユーザのパーソナルバブルにおけるデバイスからアクセサリ６へストリーミングされているあらゆるビデオまたは音楽を中止する）ように電話４に指示する。ブロック１０８において、アクセサリ６は通信を受信している電話４に通信して連結され、電話４は呼び出しに応じるように命令される（または通信のタイプに対応する別の機能を実行する）。アクセサリを電話に連結する時、アクセサリは、電話に対してスレーブであってもよい。さらに、電話およびアクセサリの両方は、遠隔制御デバイス８に対してスニフモードを維持してもよい。あるいは（不図示）、遠隔制御デバイス８は、電話４およびアクセサリ６の両方へのトラフィックリンクを確立し、その２つの間の中継ノードとして作用する。
【００９３】
通信が継続している間、遠隔制御デバイス８は、ブロック１１０で示されるように、パーソナルバブル２内での追加の着信を継続して監視してもよい。新しい通信が検出されないなら、その場合方法はブロック１１４へ移動する。別の通信が検出されたなら、その場合ブロック１１２において、遠隔制御デバイス８は初期の通信に関して上述したように、ユーザに通信を通知する。次に、ユーザはその新しい通信を受け入れることを望むか、または現在の通信を維持することを望むかを決定し得る。新しい通信を受け入れることまたは無視することは、上述した方法と同様の方法でなされてもよい。
【００９４】
次にブロック１１４において、現在の通信が完了したかどうか（例えば、呼び出しが継続しているか、または呼び出しが終了したか）が判定される。通信がまだ継続しているなら、その場合方法は、ブロック１１０へ戻り、繰り返す。しかしながら、通信が完了したなら、その場合遠隔制御デバイス８は、（ストリーミングがブロック１０６において中止されたと仮定すると）ストリーミングコンテンツを供給していたデバイス（例えば、電話４またはコンピュータ１０）にアクセサリ６を自動的に再連結する。さらに遠隔制御デバイス８は電話またはコンピュータにコンテンツの再生を再開するように指示する。
【００９５】
ブロック１００に戻り、着信が検出されないなら、その場合方法はブロック１２０へ移動し、ユーザのパーソナルバブル２におけるデバイスの何れかにとって利用可能な情報を閲覧および／または情報にアクセスすることをユーザが望むかどうかが判定される。ユーザがパーソナルバブル２におけるデバイスの何れかで情報を閲覧／情報にアクセスすることを望まないなら、その場合ブロック１２２において、遠隔制御デバイス８はパーソナルバブル２における各デバイスに対するメタデータを更新する。メタデータは、各デバイスに格納されたコンテンツを識別するために使用されてもよい情報を備える。定期的にメタデータを更新することによって、ユーザのパーソナルバブル２におけるあらゆるデバイスでなされた情報の更新（例えば、新しい連絡先情報、新しいメディアコンテンツ情報等）が直ちに利用可能であり得、その結果システム応答を改良する。これは、ユーザがそれぞれのデバイスを閲覧することを望む時に、そのような情報の表示を手助けする。
【００９６】
ユーザがパーソナルバブル２におけるデバイスを閲覧／デバイスにアクセスすることを望むなら、その場合ブロック１２４において、発信を開始すること、または、メディアコンテンツ（例えば、オーディオコンテンツおよび／またはビデオコンテンツ）をストリーミングすること、をユーザが望むかどうかが判定される。ユーザが発信（例えば、呼び出し、テキストメッセージ等）を開始することを望むなら、その場合方法はブロック１２６へ移動し、遠隔制御デバイス８は、ユーザのパーソナルバブル２内のデバイスに格納された連絡先情報（例えば、アドレス帳）に自動的にアクセスしてもよい。さらに具体的に言うと、遠隔制御デバイス８はまず、初期の連絡先リストを構築するためにメモリに格納されたメタデータにアクセスしてもよく、次に、メタデータに反映されていない、それぞれのデバイスにおける新しい情報があるかどうかをチェックするために、パーソナルバブル２における各デバイスと無線通信し得る。そのような新しい情報は、遠隔制御デバイス８に転送され、次に、情報（すなわちメタデータに格納された情報および新しく取得された情報）が構築され得、ブロック１２８において示されるように、例えば、そのディスプレイに、および／または、ディスプレイ６ｂに単一のリストとして出力され得る。
【００９７】
例えば、パーソナル電話４ａおよびビジネス電話４ｂがユーザのパーソナルバブル２内にあるなら、その場合遠隔制御デバイス８はパーソナル電話およびビジネス電話の両方に格納された連絡先情報を取得し、構築し得、遠隔制御デバイスのメモリにその情報を配置し得る。さらに、遠隔制御デバイス８は連絡先情報が単一のデバイスから生じるように見えるように連絡先情報を構築し、出力し得る。次にユーザは遠隔制御デバイスのディスプレイで連絡先情報を閲覧し、ブロック１３０において示されるように、通信を開始するための連絡先を選択し得る。
【００９８】
ユーザによる通信の選択および開始に応じて、遠隔制御デバイス８は、ブロック１３２において示されるように、アクセサリ６にコンテンツをストリーミングしていてもよいパーソナルバブル２におけるデバイスに、ストリーミングを中止するように自動的に命令し得る。例えば、遠隔制御デバイス８はパーソナルバブル２におけるデバイスと無線で通信し得、もしあるなら、どれがコンテンツをアクセサリ６にストリーミングしているかを判定し得る。遠隔制御デバイス８はその場合そのようなデバイスにストリーミングを中止するように命令し得る。
【００９９】
ブロック１３４において、遠隔制御デバイス８は、パーソナルバブル２におけるデバイスの何れが選択された連絡先に対応するかを決定し得る。例えば、遠隔制御デバイス８は、各連絡先と共に識別子をメモリに格納してもよく、識別子は、遠隔制御デバイス８が連絡先情報を取得したデバイスに対応する。次に、ひとたびユーザが連絡先を選択したなら、遠隔制御デバイス８は、識別子をチェックして、どのデバイスが選択された連絡先に対応するかを判定し得る。その判定に基づいて、遠隔制御デバイス８は、アクセサリ６を連絡先に対応するデバイスに連結し得、ブロック１３６において、デバイスに通信を開始する（例えば、呼び出しを行う）ように命令し得る。あるいは（不図示）、遠隔制御デバイス８は、電話４およびアクセサリ６の両方とのトラフィックリンクを確立し、その２つの間の中継ノードとして作用する。次に、方法はブロック１１０に移動し得、上述したようにブロック１１０−１１６を実行し得る。
【０１００】
ブロック１２４に戻ると、通信をセットすることに代わって、ユーザがメディアコンテンツをアクセサリにストリーミングすることを望むなら、その場合方法はブロック１４０へ移動する。ブロック１４０において、遠隔制御デバイス８は、ユーザのパーソナルバブル２におけるデバイスの再びアクセスする。しかしながら、連絡先情報を取得することに代わって、デバイスは、パーソナルバブル２における各デバイスに格納された、または各デバイスによってアクセス可能な、メディアコンテンツを識別する情報を自動的に取得する。メディアコンテンツは、例えば、オーディオコンテンツ（例えば、音楽）、ビデオコンテンツ（例えば、映画、画像コンテンツ（例えば、写真））であってもよい。
【０１０１】
同様に、遠隔制御デバイス８はまず、初期のメディアコンテンツリストを構築するために、メモリに格納されたメタデータにアクセスしてもよく、次に、メタデータに反映されていない、それぞれのデバイスにおける、または、それぞれのデバイスにとって利用可能な、新しいメディアコンテンツがあるかどうかをチェックするために、パーソナルバブル２における各デバイスと無線で通信する。そのような新しい情報は、遠隔制御デバイス８へ無線で伝達され得、次に、情報（すなわち、メタデータに格納された情報および新しく取得された情報）が構築され得る。また、パーソナルバブル２におけるどのデバイスがそれぞれのメディアコンテンツにアクセスするのかを示す識別子がメモリに格納されてもよい。ブロック１４２において示されるように、遠隔制御デバイス８は次に、利用可能なメディアコンテンツのリストを、そのディスプレイデバイスに、または、ディスプレイデバイス６ｂに、出力し得、出力リストはメディアコンテンツが単一のデバイスにあるという外観を与える。ブロック１４４において、ユーザは次にリストからメディアコンテンツを選択し得る。
【０１０２】
ブロック１４６において示されるように、ひとたびメディアコンテンツがユーザによって選択されたなら、遠隔制御デバイス８は、どのデバイスが選択されたコンテンツを含む、またはそのコンテンツにアクセスするかを判定し、アクセサリ６をデバイスに自動的に接続する。ブロック１４８において、遠隔制御デバイス８は、アクセサリ６に連結されたデバイスに、コンテンツをストリーミングするように命令する。
【０１０３】
最初のメディアコンテンツが完了した時に、次の選択された項目（ｉｔｅｍ）がアクセサリ６に自動的にストリーミングされる。次の選択された項目が、現在アクセサリ６に連結されたデバイスとは異なるデバイスに存在する（例えば、第１のコンテンツがパーソナル電話４ａにあり、第２のコンテンツがビジネス電話４ｂにある）なら、その場合、遠隔制御デバイス８は、デバイスおよびアクセサリ間の現在の通信リンクを終了し、他のデバイスおよびアクセサリ間で新しい通信リンクを確立し、他のデバイスに、コンテンツをアクセサリへストリーミングするように命令し得る。
【０１０４】
従って、遠隔制御デバイスは、パーソナルバブルにおける単一のコンテンツインタフェースデバイスと連動して、複数のサーバデバイスをユーザが容易に動作することを可能にする。
【０１０５】
ここでは、本発明の特定の実施形態が開示されている。当業者は、本発明は他の環境において他のアプリケーションを有してもよいことを容易に認識するだろう。実際、多くの実施形態および実装が可能である。以下の特許請求の範囲は、本発明の範囲を上述した特定の実施形態に少しも限定することはない。さらに、“ｍｅａｎｓ ｆｏｒ”というあらゆる列挙は、要素および特許請求の範囲のミーンズ−プラス−ファンクション解釈を喚起するように意図され、一方、 “ｍｅａｎｓ ｆｏｒ”という列挙を明確に使用していないあらゆる要素は、例え、特許請求の範囲が別に“ｍｅａｎｓ”という用語を含んでいても、ミーンズ−プラス−ファンクション要素として解釈されるようには意図されていない。
【０１０６】
本発明のコンピュータプログラム要素は、ハードウェアにおいておよび／または（ファームウェア、常駐ソフトウェア、マイクロコードを含む）ソフトウェアにおいて具体化されてもよい。本発明は、命令実行システムによる使用のために、または命令実行システムと関連して媒体に具体化された、コンピュータ使用可能な、または、コンピュータ読み取り可能なプログラム命令、“コード”、または“コンピュータプログラム”を有する、コンピュータ使用可能な、または、コンピュータ読み取り可能な記憶媒体によって具体化され得る、コンピュータプログラム製品の形式を取ってもよい。この文書との関連で、コンピュータ使用可能な、またはコンピュータ読み取り可能な媒体は、命令実行システム、装置、またはデバイスによる使用のための、またはこれらと関連する、プログラムを含み、格納し、伝達し、伝播し、転送し得るあらゆる媒体であってもよい。コンピュータ使用可能なまたはコンピュータ読み取り可能な媒体は、例えば、電子、磁気、光学、電磁気、赤外線、または半導体システム、装置、デバイス、またはインターネット等の伝播媒体であってもよいが、これらに限定されない。プログラムは、例えば、ペーパーまたは他の媒体の光学スキャンを介して、電子的に撮像され、コンパイルされ、解釈され、そうでなければ適切な方法で処理され得るので、コンピュータ使用可能な、またはコンピュータ読み取り可能な媒体は、ペーパーまたはプログラムがプリントされる別の適切な媒体でさえあり得る。コンピュータプログラム製品およびここで説明されたあらゆるソフトウェアおよびハードウェアは、例示的な実施形態において本発明の機能を実行する様々な手段を形成する。
【０１０７】
本発明は、ある好ましい実施形態に関して示され、説明されてきたが、この明細書および添付図面を読み、理解すれば、他の当業者が同等な変更および修正に想到するであろうことは明らかである。特に、上述した要素（構成要素、アセンブリ、デバイス、構成等）によって実行される様々な機能に関して、そのような要素を説明するために使用される（“ｍｅａｎｓ”への言及を含む）用語は、他に示されない限り、例えここで説明された本発明の例示的な実施形態での機能を実行する開示された構造と構造的に同等でなくても、説明された要素の特定の機能を実行するあらゆる要素に相当する（すなわち、機能的に同等である）ように意図される。さらに、本発明の特的の特徴は、いくつかの図解入りの実施形態のうち１つ以上のみ参照して説明されてきたが、そのような特徴は、あらゆる所与のまたは特定のアプリケーションにとって好ましくおよび有利であってもよいように、他の実施形態の１つ以上の他の特徴と組み合わされてもよい。
【図１】
2012501142.tif 000003
【図２】
2012501142.tif 000004
【図３】
2012501142.tif 000005
【図４】
2012501142.tif 000006
【図５】
2012501142.tif 000007
【図６】
2012501142.tif 000008
【手続補正書】
【提出日】平成22年4月2日(2010.4.2)
【手続補正１】
【補正対象書類名】特許請求の範囲
【補正対象項目名】全文
【補正方法】変更
【補正の内容】
【特許請求の範囲】
【請求項１】
ユーザの無線パーソナルエリアネットワーク（２）内の複数のサーバデバイス（４、１０）を動作する方法であって、
前記ユーザのパーソナルエリアネットワークにおける前記複数のサーバデバイス（４、１０）と通信するために遠隔制御デバイス（８）を使用する工程を備え、
前記方法は、前記遠隔制御デバイスが、
（ｉ）前記複数のサーバデバイスのそれぞれにとって利用可能なコンテンツを示すデータを取得するために前記複数のサーバデバイスへアクセスする工程と、
（ｉｉ）前記複数のサーバデバイスにとって利用可能なコンテンツを示す前記データを組み合わせる工程と、
（ｉｉｉ）前記組み合わされたデータをディスプレイデバイスに出力する工程と、を備え、
前記組み合わされたデータは単一のデバイスに存在するように見えるように構成されることを特徴とする方法。
【請求項２】
前記パーソナルエリアネットワークは、少なくとも１つのコンテンツインタフェースデバイス（６）をさらに含み、前記方法は、
前記出力されるデータの少なくとも一部を選択する工程と、
前記選択に基づいて、前記遠隔制御デバイスが、前記少なくとも１つのコンテンツインタフェースデバイスを、前記選択されたデータに対応する前記サーバデバイスへ自動的に接続する工程と、
をさらに備えることを特徴とする請求項１に記載の方法。
【請求項３】
前記サーバデバイスから前記コンテンツインタフェースデバイスへコンテンツをストリーミングする工程をさらに備え、前記コンテンツは前記選択されたデータに対応することを特徴とする請求項２に記載の方法。
【請求項４】
前記ストリーミングされるコンテンツは、前記複数のサーバデバイスに格納されたメディアコンテンツ、または、前記複数のサーバデバイスのうちの１つに特有の通信データ、のうちの少なくとも１つであることを特徴とする請求項３に記載の方法。
【請求項５】
前記コンテンツインタフェースデバイスに接続されていない前記複数のサーバデバイスのうちの１つにおいて着信を受信する工程と、
前記コンテンツインタフェースデバイスを前記１つのサーバデバイスに自動的に接続する工程と、
をさらに備えることを特徴とする請求項３または４に記載の方法。
【請求項６】
前記パーソナルエリアネットワークは少なくとも１つのコンテンツインタフェースデバイスをさらに含み、前記方法は、
前記出力されるデータの少なくとも一部を選択する工程と、
前記選択に基づいて、前記遠隔制御デバイスが、少なくとも１つのコンテンツインタフェースデバイスに自動的に接続する工程と、前記選択されたデータに対応する少なくとも１つのサーバデバイスに自動的に接続する工程と、前記少なくとも１つのコンテンツインタフェースデバイスと、前記少なくとも１つのサーバデバイスとの間で情報を中継する工程と、
をさらに備えることを特徴とする請求項１乃至５の何れか１項に記載の方法。
【請求項７】
前記データを出力する工程は、前記複数のサーバデバイスのそれぞれに格納されたメディアコンテンツのリストを出力する工程、または、前記複数のサーバデバイスのそれぞれに着信のリストを出力する工程、のうちの少なくとも１つを含むことを特徴とする請求項１乃至６の何れか１項に記載の方法。
【請求項８】
前記少なくとも１つのコンテンツインタフェースデバイスに出力する前記着信を選択する工程と、
前記少なくとも１つのコンテンツインタフェースデバイスを前記着信が受信されている前記サーバデバイスに自動的に接続する工程と、
をさらに備えることを特徴とする請求項７に記載の方法。
【請求項９】
前記データを組み合わせる工程は、前記複数のサーバデバイスのそれぞれからの前記データを前記遠隔制御デバイスのメモリ（６４）に格納する工程と、単一のリストを形成するために前記格納されたデータを組み合わせる工程と、を含むことを特徴とする請求項１乃至８の何れか１項に記載の方法。
【請求項１０】
前記サーバデバイスは、携帯電話、コンピュータ、メディアプレーヤ、ゲームデバイス、ポケベル、電子手帳、または携帯情報端末のうちの少なくとも１つであり、前記少なくとも１つのコンテンツインタフェースデバイスは、無線ヘッドホンまたは無線表示デバイスのうちの少なくとも１つであることを特徴とする請求項１乃至９の何れか１項に記載の方法。
【請求項１１】
ユーザの無線パーソナルエリアネットワーク内の電子デバイスを動作するシステムであって、
前記パーソナルエリアネットワーク（２）内の複数の無線サーバデバイス（４、１０）と、
前記パーソナルエリアネットワーク内の少なくとも１つの無線遠隔制御デバイス（８）と、を備え、
前記遠隔制御デバイスは前記複数のサーバデバイスと通信可能に連結され、ディスプレイデバイスを含み、
前記遠隔制御デバイスは、
（ｉ）前記複数のサーバデバイスのそれぞれにとって利用可能なコンテンツを示すデータを取得するために前記複数のサーバデバイスにアクセスし、
（ｉｉ）前記複数のサーバデバイスにとって利用可能なコンテンツを示す前記データを組み合わせ、
（ｉｉｉ）前記組み合わされたデータを前記ディスプレイデバイスに出力するように構成され、
前記組み合わされたデータは単一のデバイスに存在するように見えるように構成されることを特徴とするシステム。
【請求項１２】
前記パーソナルエリアネットワーク内の少なくとも１つの無線コンテンツインタフェースデバイス（６）をさらに備え、前記遠隔制御デバイスは、前記コンテンツインタフェースデバイスに通信して連結されることを特徴とする請求項１１に記載のシステム。
【請求項１３】
前記遠隔制御デバイスはピコネットにおけるマスタであり、前記複数のサーバデバイスおよび前記少なくとも１つのコンテンツインタフェースデバイスは前記ピコネットにおけるスレーブであることを特徴とする請求項１２に記載のシステム。
【請求項１４】
前記遠隔制御デバイスは、前記複数のサーバデバイスのうちの１つを、前記コンテンツインタフェースデバイスのマスタとして設定するように構成されることを特徴とする請求項１３に記載のシステム。
【請求項１５】
前記遠隔制御デバイスは、前記コンテンツインタフェースデバイスを前記マスタであるサーバデバイスと通信するように設定するように構成されることを特徴とする請求項１３または１４に記載のシステム。
【請求項１６】
前記遠隔制御デバイスは、前記複数のサーバデバイスおよび前記コンテンツインタフェースデバイスのうちの１つを、前記遠隔制御ピコネットにおけるスニッフィングスレーブであるように設定するように構成されることを特徴とする請求項１５に記載のシステム。
【請求項１７】
前記サーバデバイスは、携帯電話、コンピュータ、メディアプレーヤ、ゲームデバイス、ポケベル、電子手帳、または携帯情報端末のうちの少なくとも１つであり、前記コンテンツインタフェースデバイスは、無線ヘッドホンまたは無線ディスプレイデバイスのうちの少なくとも１つであることを特徴とする請求項１１乃至１６の何れか１項に記載のシステム。
【請求項１８】
複数のサーバデバイス（４、１０）および少なくとも１つのコンテンツインタフェースデバイスを動作する遠隔制御デバイス（８）であって、それぞれのデバイスはユーザの無線パーソナルエリアネットワーク内にあり、前記遠隔制御デバイスは、
プロセッサ（６２）と、
前記プロセッサと動作可能に連結されたメモリ（６４）と、
前記プロセッサと動作可能に連結されたディスプレイデバイス（６６）と、
前記プロセッサと動作可能に連結され、前記パーソナルエリアネットワーク内のデバイスと通信するように動作可能なローカル無線インタフェース（７２）と、
前記メモリに格納され、前記プロセッサによって実行可能なロジックと、を備え、前記ロジックは、
前記複数のサーバデバイスへアクセスして前記複数のサーバデバイス（４、１０）のそれぞれにとって利用可能なコンテンツを示すデータを取得するために前記ローカル無線インタフェースを使用するように構成されたロジックと、
前記複数のサーバデバイスにとって利用可能なコンテンツを示す前記データを組み合わせるように構成されたロジックと、
前記ディスプレイデバイスに前記組み合わされたデータを出力するように構成されたロジックと、を含み、
前記組み合わされたデータは単一のデバイスに存在するように見えるように構成されることを特徴とする遠隔制御デバイス。
【手続補正書】
【提出日】平成23年4月5日(2011.4.5)
【手続補正１】
【補正対象書類名】特許請求の範囲
【補正対象項目名】全文
【補正方法】変更
【補正の内容】
【特許請求の範囲】
【請求項１】
ユーザの無線パーソナルエリアネットワーク（２）内の複数のサーバデバイス（４、１０）を動作する方法であって、
前記ユーザのパーソナルエリアネットワークにおける前記複数のサーバデバイス（４、１０）と通信するために遠隔制御デバイス（８）を使用する工程を備え、
前記方法は、前記遠隔制御デバイスが、
（ｉ）前記複数のサーバデバイスのそれぞれにとって利用可能なコンテンツを示すデータを取得するために前記複数のサーバデバイスへアクセスする工程と、
（ｉｉ）前記複数のサーバデバイスにとって利用可能なコンテンツを示す前記データを組み合わせる工程と、
（ｉｉｉ）前記組み合わされたデータをディスプレイデバイスに出力する工程と、を備え、
前記組み合わされたデータは単一のデバイスに存在するように見えるように構成されることを特徴とする方法。
【請求項２】
前記パーソナルエリアネットワークは、少なくとも１つのコンテンツインタフェースデバイス（６）をさらに含み、前記方法は、
前記出力されるデータの少なくとも一部を選択する工程と、
前記選択に基づいて、前記遠隔制御デバイスが、前記少なくとも１つのコンテンツインタフェースデバイスを、前記選択されたデータに対応する前記サーバデバイスへ自動的に接続する工程と、
をさらに備えることを特徴とする請求項１に記載の方法。
【請求項３】
前記サーバデバイスから前記コンテンツインタフェースデバイスへコンテンツをストリーミングする工程をさらに備え、前記コンテンツは前記選択されたデータに対応することを特徴とする請求項２に記載の方法。
【請求項４】
前記ストリーミングされるコンテンツは、前記複数のサーバデバイスに格納されたメディアコンテンツ、または、前記複数のサーバデバイスのうちの１つに特有の通信データ、のうちの少なくとも１つであることを特徴とする請求項３に記載の方法。
【請求項５】
前記コンテンツインタフェースデバイスに接続されていない前記複数のサーバデバイスのうちの１つにおいて着信を受信する工程と、
前記コンテンツインタフェースデバイスを前記１つのサーバデバイスに自動的に接続する工程と、
をさらに備えることを特徴とする請求項３または４に記載の方法。
【請求項６】
前記パーソナルエリアネットワークは少なくとも１つのコンテンツインタフェースデバイスをさらに含み、前記方法は、
前記出力されるデータの少なくとも一部を選択する工程と、
前記選択に基づいて、前記遠隔制御デバイスが、少なくとも１つのコンテンツインタフェースデバイスに自動的に接続する工程と、前記選択されたデータに対応する少なくとも１つのサーバデバイスに自動的に接続する工程と、前記少なくとも１つのコンテンツインタフェースデバイスと、前記少なくとも１つのサーバデバイスとの間で情報を中継する工程と、
をさらに備えることを特徴とする請求項１乃至５の何れか１項に記載の方法。
【請求項７】
前記データを出力する工程は、前記複数のサーバデバイスのそれぞれに格納されたメディアコンテンツのリストを出力する工程、または、前記複数のサーバデバイスのそれぞれに着信のリストを出力する工程、のうちの少なくとも１つを含むことを特徴とする請求項１乃至６の何れか１項に記載の方法。
【請求項８】
前記少なくとも１つのコンテンツインタフェースデバイスに出力する前記着信を選択する工程と、
前記少なくとも１つのコンテンツインタフェースデバイスを前記着信が受信されている前記サーバデバイスに自動的に接続する工程と、
をさらに備えることを特徴とする請求項７に記載の方法。
【請求項９】
ユーザの無縁パーソナルエリアネットワーク内の電子デバイスを動作するシステムであって、
前記パーソナルエリアネットワーク（２）内の複数の無線サーバデバイス（４、１０）と、
前記パーソナルエリアネットワーク内の少なくとも１つの無線遠隔制御デバイス（８）と、を備え、
前記遠隔制御デバイスは前記複数のサーバデバイスと通信可能に連結され、ディスプレイデバイスを含み、
前記遠隔制御デバイスは、
（ｉ）前記複数のサーバデバイスのそれぞれにとって利用可能なコンテンツを示すデータを取得するために前記複数のサーバデバイスにアクセスし、
（ｉｉ）前記複数のサーバデバイスにとって利用可能なコンテンツを示す前記データを組み合わせ、
（ｉｉｉ）前記組み合わされたデータを前記ディスプレイデバイスに出力するように構成され、
前記組み合わされたデータは単一のデバイスに存在するように見えるように構成されることを特徴とするシステム。
【請求項１０】
前記パーソナルエリアネットワーク内の少なくとも１つの無線コンテンツインタフェースデバイス（６）をさらに備え、前記遠隔制御デバイスは、前記コンテンツインタフェースデバイスに通信して連結されることを特徴とする請求項９に記載のシステム。
【請求項１１】
前記遠隔制御デバイスは、前記複数のサーバデバイスのうちの１つを、前記コンテンツインタフェースデバイスのマスタとして設定するように構成されることを特徴とする請求項１０に記載のシステム。
【請求項１２】
前記遠隔制御デバイスは、前記コンテンツインタフェースデバイスを前記マスタであるサーバデバイスと通信するように設定するように構成されることを特徴とする請求項１０または１１に記載のシステム。
【請求項１３】
前記遠隔制御デバイスは、前記複数のサーバデバイスおよび前記コンテンツインタフェースデバイスのうちの１つを、遠隔制御ピコネットにおけるスニッフィングスレーブであるように設定するように構成されることを特徴とする請求項１２に記載のシステム。
【請求項１４】
前記サーバデバイスは、携帯電話、コンピュータ、メディアプレーヤ、ゲームデバイス、ポケベル、電子手帳、または携帯情報端末のうちの少なくとも１つであり、前記コンテンツインタフェースデバイスは、無線ヘッドホンまたは無線ディスプレイデバイスのうちの少なくとも１つであることを特徴とする請求項９乃至１３の何れか１項に記載のシステム。
【請求項１５】
複数のサーバデバイス（４、１０）および少なくとも１つのコンテンツインタフェースデバイスを動作する遠隔制御デバイス（８）であって、それぞれのデバイスはユーザの無線パーソナルエリアネットワーク内にあり、前記遠隔制御デバイスは、
プロセッサ（６２）と、
前記プロセッサと動作可能に連結されたメモリ（６４）と、
前記プロセッサと動作可能に連結されたディスプレイデバイス（６６）と、
前記プロセッサと動作可能に連結され、前記パーソナルエリアネットワーク内のデバイスと通信するように動作可能なローカル無線インタフェース（７２）と、
前記メモリに格納され、前記プロセッサによって実行可能なロジックと、を備え、前記ロジックは、
前記複数のサーバデバイスへアクセスして前記複数のサーバデバイス（４、１０）のそれぞれにとって利用可能なコンテンツを示すデータを取得するために前記ローカル無線インタフェースを使用するように構成されたロジックと、
前記複数のサーバデバイスにとって利用可能なコンテンツを示す前記データを組み合わせるように構成されたロジックと、
前記ディスプレイデバイスに前記組み合わされたデータを出力するように構成されたロジックと、を含み、
前記組み合わされたデータは単一のデバイスに存在するように見えるように構成されることを特徴とする遠隔制御デバイス。
【国際調査報告】
2012501142.tif 000009
2012501142.tif 000010
2012501142.tif 000011